(57)【特許請求の範囲】
【請求項１】
高純度に加工されたＮ型及びＰ型半導体を各別に４０〜１００ｎｍに粉砕加工し、これら両者に各別に樹脂ベースに加工する工程（Ａ）と、上記Ｎ型及びＰ型半導体ペーストを衣料品等の、身体の不調箇所又は／及び有効経路をカバーする面積の部位に各別に膜状に塗布する工程（Ｂ）、又は／及びこの工程（Ｂ）に代えてＮ型及びＰ型半導体ペーストを上記衣料品等とは別体のシートの表面に各別に膜状に塗布し、これを上記衣料品等の上記部位に後付けする工程（Ｃ）とで製造することを特徴とする経皮治療用具の製造方法。
【請求項２】
上記衣料品等は、肌着類、衣服類から選ばれるいずれか一つであること特徴とする上記請求項１に記載の経皮治療用具の製造方法。
【請求項３】
上記半導体は、シリコン、硫化亜鉛、セレン化亜鉛、テルル化亜鉛、ガリウム、リン又は有機半導体から選ばれるいずれか一つであることを特徴とする上記請求項（１）、（２）のいずれか１項に記載の経皮治療用具の製造方法。
【発明の詳細な説明】
【０００１】
【発明の属する技術分野】
本願発明は筋肉痛、肩こり、腰痛、生理痛、胃痛、頭痛、自律神経失調症、不定愁訴等の改善に有効な経皮治療用具の製造方法に関するものである。
【０００２】
【従来の技術】
従来筋肉痛、肩こり、腰痛等の治癒には鍼灸、磁気、ゲルマニウム、セラミックス等が使用されている。又、半導体膜をつけたセラミックス（特願平５−３８８５１号）が治療用具として開発され、その後Ｎ型半導体膜、Ｐ型半導体膜の二重構造（特許２５７２５３３号）のもの、また強誘電体の表面を半導体膜で覆ったもの（特願平７−７３６０１号）等が開発されている。
【０００３】
【発明が解決しようとする課題】
上記従来の各治療用具は治療効果が極めて乏しいものであった。この根本的な理由は、治療用具の構成とその材料にあります。
【０００４】
【課題を解決するための手段】
本発明は、上記課題を、次の材料を次の製造方法で製造することによって解決することができる。即ち、高純度に加工されたＮ型及びＰ型半導体、各別に４０〜１００ｎｍに粉砕加工し、これら両者を各別に樹脂ベースのペーストに混入してＮ型及びＰ型半導体ペーストを各別に加工する工程（Ａ）と、上記Ｎ型及びＰ型半導体ペーストを衣料品等の、身体の不調箇所又は／及び有効経路をカバーする面積の部位に直接膜状に各別に積層して着設する工程（Ｂ）、又は／及び上記工程（Ｂ）に代えてＮ型及びＰ型半導体ペーストを、上記衣料品等とは別体のシートの表面に膜状に各別に塗布し、これを上記衣料品等の上記部位に後付けする工程（Ｃ）とで製造することを特徴とする経皮治療用具の製造方法。
【０００５】
上記衣料品は、肌着類、衣服類から選ばれるいずれか一つであることを特徴とする経皮治療用具の製造方法。
【０００６】
上記半導体は、シリコン、硫化亜鉛、セレン化亜鉛、テルル化亜鉛、ガリウム、リン又は有機半導体から選ばれるいずれか一つであることを特徴とする経皮治療用具の製造方法。
【０００７】
本発明は、前記材料を前記製造方法で製造することにより、上記従来例からは到底得られない次の特徴を有する。即ち、本発明は遠赤外線の分光放射出力は、人体の治療に最も効果的な波長（７ｎｍ〜１１ｎｍ）であり、更に、この遠赤外線の分光放射率も人体の治療に最も効果的な高い値であり、これら互いの利点が相俟って最良の治療効果を充分に発揮することができる。更に本発明は、日常の生活の中で、不調な身体の部分を改善し、低コストにしてカブレの発生も無く安全且つ短時間に優れた治療効果を発揮することができる。
【０００８】
【発明の実施の形態】
一般に人間の身体は、正常の場合、図ー１の正常な皮膚断面の電位状態説明図に示すごとく、表皮の内側即ち真皮側は＋の電位もっており、表皮はそれを受けて−の電位が誘起されている。
しかし、痛みがあったりアトピーの症状がでる場合は図−２の病的な皮膚断面の電位状態説明図に示すごとく、これが変動を起こして変化し、表皮側はその逆の電位が誘起される。
本発明のＮ型半導体とＰ型半導体の二層コーティング膜は、不健康な表皮の電位変動を改善し、表皮を正常に戻す作用をする。
【０００９】
この作用は半導体をコートしたシートを直接皮膚に糊付けるのが一番早いが、絆創膏で糊付ければ、カブレの問題が生じ、サポーター等で皮膚に密着させると、同じ刺激を受け続ける形となり、慣れの原因となる。また、皮膚に密着させると皮膚呼吸を阻害する。
しかし、本願発明のごとく、不調箇所をカバーする様な型で半導体を衣類などにコーティングするか、半導体シートを貼り付けた場合、自然の生活の中で半導体シートは不調の箇所に近づいたり遠ざかったりして、マイナスイオン・遠赤外線などの刺激が増減する。刺激が増減すると一般に身体になれにくく、よく利く場合が多い。しかも絆創膏がないのでカブレは生じなく、また肌に密着させないため、空気の通りが良いので皮膚にも良い。
【００１０】
また、従来ツボを探って貼っていたが、本願発明のコーティング層は不調の箇所をカバーする大きさなので、ツボ探しの必要がない。
また本願発明による下着と服を着て普通に生活し、夜間本願発明による寝巻きを着て、本願発明による夜具で寝ると言う自然な生活の中で治癒が計れる利点がある。例えば、図３に示すごとく、（ａ）アンダーシャツ１の肩部に半導体コーティング塗料を塗布し、乾燥してなる半導体コーティング層２を着設して、肩こり治療用アンダーシャツを作成する。
また、腰痛治癒のため、（ｂ）アンダーシャツ１の背部下方に半導体シート３添着して、腰痛治療用アンダーシャツを作成する。
【００１１】
【実施例】
実施例１：
半導体用高純度シリコンにリンを５，０００ｐｐｍ添加したＮ型シリコン及び硼素を５，０００ｐｐｍ添加したＰ型シリコンを、それぞれ４０〜１００ｎｍに粉砕し、樹脂ベースのペーストに練りこんでＮ型シリコンペースト及びＰ型シリコンペーストを作成した。Ｎ型ペーストを、先ず厚さ０，２ｍｍの木綿布に、直径５０ｍｍの円形に塗布し、乾燥後その上に更にＰ型ペーストを塗布した。
その塗布面の微弱磁気波動測定値を表１に示す。比較例として木綿布のみ、Ｎ型ペーストのみ、Ｐ型ペーストのみの塗布面の測定値を示した。
【００１２】
【表１】
0004182266.tif 000002
微弱磁気波動値は症例により決められているコードで、そのコード特有の波形を標準値として、被測定物の同じコードの波形と比較し、その共鳴の度合いを波動値として表示するもので、＋２１（最高値）＞０＞−２１（最低値）を表し、値の高いものほど有効であることを示す。一応＋１５以上で効果がある。
【００１３】
臨床試験結果でもＮ型＋Ｐ型の塗布品は最も良かったが、痛みに対してはＰ型が良好な結果を示した。
【００１４】
実施例３：
実施例１のＮ型＋Ｐ型シリコン塗布シートを約１ｃｍ間隔に約１ｍｍの空気孔をあけたこのシートを心臓狭心症患者の心臓の廻り、即ち心電図測定の際の電極位置をカバーするようにシャツの中に貼った。風呂に入るときはシートに接しなかったが、通常はいつもシートに接するようにし、シートは一週間毎に交換した。
その後約５ヶ月狭心症の症状は出ていない。
【００１５】
実施例４：
実施例１のＮ型＋Ｐ型シリコン塗布シートを心臓をカバーする大きさに切抜き、約１ｃｍ間隔で約１ｍｍの空気孔をあけた。このシートを不整脈のある患者の心臓に当る下着に貼付したところ、約１ヶ月の着用で不整脈が取れて正常な脈に戻った。
【００１６】
実施例５：
実施例２のＮ型＋Ｐ型ゲルマニウム塗布シートを２００ｍｍ×３００ｍｍの角型にくり抜き、約１５ｍｍ間隔に１ｍｍ程度の空気孔を開け、下着の背中下から腰に掛かる腰痛のツボをカバーするように下着に貼付した。
約１日で大分良くなり、１週間で痛みがなくたった。
【００１７】
【発明の効果】
本発明は、前記材料を前記製造方法で製造することにより、上記従来例からは到底得られない次の特徴を有する。即ち、本発明の遠赤外線の分光放射出力は、人体の治療に最も効果的な波長（７ｎｍ〜１１ｎｍ）であり、更に、この遠赤外線の分光放射率も人体の治療に最も効果的な高い値であり、これら互いの利点が相俟って最良の治療効果を充分に発揮することができる。更に本発明は、日常の生活の中で、不調な身体の部分を改善し、低コストにしてカブレの発生も無く安全且つ短時間に優れた治療効果を発揮することができる。
【図面の簡単な説明】
【図１】正常な皮膚断面の電位状態説明図
【図２】病的な皮膚断面の電位状態説明図
【図３】本願発明をアンダーシャツに適用した状態の説明図
【符号の説明】
１：アンダーシャツ
２：半導体工ーティング層
３：半導体シート
【図１】
0004182266.tif 000003
【図２】
0004182266.tif 000004
【図３】
0004182266.tif 000005